(57)【要約】【課題】筒状外装部材を照明器具本体の前端部に安定した状態で簡単に取り付けることができる照明器具を提供する。【解決手段】本発明は、照明器具本体１と、照明器具本体１の前端部に外嵌される筒状の外装部材６とを備え、照明器具本体１内の光源から出射した照明光が外装部材６内を通って前方に照射されるようにした照明器具を対象とする。照明器具本体１の前端部に、筒状の弾性パッキン部材５が外嵌された状態に取り付けられる。外装部材６に、パッキン部材５に対応してねじ切り孔６１が形成されるとともに、ねじ切り孔６１に、ねじ部材６２がその軸部が径方向に沿って配置された状態で螺着される。ねじ部材６２が内径方向にそれぞれねじ込まれて、ねじ部材６２の軸部先端がパッキン部材５に圧接することによって、外装部材６が照明器具本体１に取り付けられている。【選択図】図２
2020173927.tif 000002
【特許請求の範囲】
【請求項１】
前端面に透光部を有する照明器具本体と、前記照明器具本体の前端部に外嵌される筒状の外装部材とを備え、前記照明器具本体内の光源から出射した照明光が前記透光部を透過して前記外装部材内を通って前方に照射されるようにした照明器具であって、
前記照明器具本体の前端部に、筒状の弾性パッキン部材が外嵌された状態に取り付けられ、
前記外装部材に、前記パッキン部材に対応して複数のねじ切り孔が周方向に間隔を形成されるとともに
前記複数のねじ切り孔に、ねじ部材がその軸部が径方向に沿って配置された状態でそれぞれ螺着され、
前記ねじ部材が内径方向にそれぞれねじ込まれて、各ねじ部材の軸部先端が前記パッキン部材にそれぞれ圧接することによって、前記外装部材が前記照明器具本体に取り付けられていることを特徴とする照明器具。
【請求項２】
前記パッキン部材の外周面に、前記フードの軸心方向に延びる突条部が周方向に間隔をおいて複数形成され、その複数の突条部の各間に軸心方向に沿って連続する通水路が形成され、
前記パッキン部材における前記通水路の後端に水抜き孔が形成され、その水抜き孔を介して前記通水路の後端側が前記照明器具本体の外側における前記フードの後方に開放されている請求項１に記載の照明器具。
【請求項３】
前記パッキン部材の前端に、前記照明器具本体の前端面外周に当接係止する内向きフランジ部が形成されている請求項１または２に記載の照明器具。
【請求項４】
前記パッキン部材の後端に、前記外装部材の後端面に当接係止する外向きフランジ部が形成されている請求項１〜３のいずれか１項に記載の照明器具。
【請求項５】
前記パッキン部材の外周面に前記ねじ部材に対応して前記照明器具本体の外周面に周方向に連続する圧接用外周溝が形成され、
その圧接用外周溝の内周面に前記ねじ部材の軸部先端が圧接するように構成されている請求項１〜４のいずれか１項に記載の照明器具。
【請求項６】
前記照明器具本体の前端部外周面に周方向に沿って位置決め用外周溝が形成されるとともに、
前記パッキン部材の内周面に前記位置決め用外周溝に対応して周方向に沿って位置決め用内周凸部が形成され、
前記位置決め用内周凸部が前記位置決め用外周溝に嵌め込まれることによって、前記パッキン部材の前記照明器具本体に対する位置決めが図られるように構成されている請求項１〜５のいずれか１項に記載の照明器具。
【発明の詳細な説明】
【技術分野】
【０００１】
この発明は、前端部にフード等の筒状外装部材が設けられたスポットライト等の照明器具に関する。
【０００２】
なお、本発明に係る照明器具の前後方向は限定されるものではないが、本明細書および特許請求の範囲においては、発明の理解を容易にするため、照明器具から光が照射される方向を照明器具の前方向、その反対方向を照明器具の後方向として説明する。
【背景技術】
【０００３】
照明器具として、下記特許文献１，２に示すようなスポットライトが周知である。従来のスポットライトにおいて、グレアの抑制等を図るために、オプション部材等として前端部に筒状のフードを備えるものが周知である。フードは、中心軸がスポットライトの中心光軸と同軸に配置されており、フードの前端には、スポットライトに搭載された光源の光を照光対象物に向けて出射するための照射口が形成されている。
【０００４】
従来、フードをスポットライト本体に取り付ける方法としては例えば、フード側に設けた係合部をスポットライト本体に設けた被係合部に係合することによってフードをスポットライト本体に着脱自在に取り付けるような方法や、フードをスポットライト本体にねじ留めすることによって取り付ける方法等が周知である。
【先行技術文献】
【特許文献】
【０００５】
【特許文献１】特開２０１５−１３０２３２号
【特許文献２】特開２０１７−２７８９９号
【発明の概要】
【発明が解決しようとする課題】
【０００６】
上記のような技術背景の下、従来からスポットライトにおいては、スポットライト本体に対しフードを安定状態に取り付けることができる構造や、スポットライト本体に対しフードを簡単に取り付けることができる構造が可及的に求められているのが現状である。
【０００７】
この発明は、上記の課題に鑑みてなされたものであり、フード等の筒状外装部材を、スポットライト本体等の照明器具本体の前端部に安定した状態で簡単に取り付けることができるスポットライト等の照明器具を提供することを目的とする。
【課題を解決するための手段】
【０００８】
上記課題を解決するため、本発明は、以下の手段を備えるものである。
【０００９】
［１］前端面に透光部を有する照明器具本体と、前記照明器具本体の前端部に外嵌される筒状の外装部材とを備え、前記照明器具本体内の光源から出射した照明光が前記透光部を透過して前記外装部材内を通って前方に照射されるようにした照明器具であって、
前記照明器具本体の前端部に、筒状の弾性パッキン部材が外嵌された状態に取り付けられ、
前記外装部材に、前記パッキン部材に対応して複数のねじ切り孔が周方向に間隔を形成されるとともに
前記複数のねじ切り孔に、ねじ部材がその軸部が径方向に沿って配置された状態でそれぞれ螺着され、
前記ねじ部材が内径方向にそれぞれねじ込まれて、各ねじ部材の軸部先端が前記パッキン部材にそれぞれ圧接することによって、前記外装部材が前記照明器具本体に取り付けられていることを特徴とする照明器具。
【００１０】
［２］前記パッキン部材の外周面に、前記フードの軸心方向に延びる突条部が周方向に間隔をおいて複数形成され、その複数の突条部の各間に軸心方向に沿って連続する通水路が形成され、
前記パッキン部材における前記通水路の後端に水抜き孔が形成され、その水抜き孔を介して前記通水路の後端側が前記照明器具本体の外側における前記フードの後方に開放されている前項１に記載の照明器具。
【００１１】
［３］前記パッキン部材の前端に、前記照明器具本体の前端面外周に当接係止する内向きフランジ部が形成されている前項１または２に記載の照明器具。
【００１２】
［４］前記パッキン部材の後端に、前記外装部材の後端面に当接係止する外向きフランジ部が形成されている前項１〜３のいずれか１項に記載の照明器具。
【００１３】
［５］前記パッキン部材の外周面に前記ねじ部材に対応して前記照明器具本体の外周面に周方向に連続する圧接用外周溝が形成され、
その圧接用外周溝の内周面に前記ねじ部材の軸部先端が圧接するように構成されている前項１〜４のいずれか１項に記載の照明器具。
【００１４】
［６］前記照明器具本体の前端部外周面に周方向に沿って位置決め用外周溝が形成されるとともに、
前記パッキン部材の内周面に前記位置決め用外周溝に対応して周方向に沿って位置決め用内周凸部が形成され、
前記位置決め用内周凸部が前記位置決め用外周溝に嵌め込まれることによって、前記パッキン部材の前記照明器具本体に対する位置決めが図られるように構成されている前項１〜５のいずれか１項に記載の照明器具。
【発明の効果】
【００１５】
発明［１］の照明器具によれば、スポットライト本体に外嵌した弾性パッキン部材に、フードにねじ込んだねじ部材を圧接させて弾性密着させることにより、フードをスポットライト本体に組み付けるようにしているため、フードのねじ部材をパッキン部材を介してスポットライト本体の外周面に弾性密着させることができ、フードがスポットライト本体に対し安定した状態に確実に取り付けることができる。さらに本発明の照明器具においては、ねじ部材をねじ込んでパッキン部材を介してスポットライト本体の外周面に圧接するだけで簡単に、フードをスポットライト本体に組み付けることができる。
【００１６】
発明［２］の照明器具によれば、パッキン部材の外周面に軸心方向に沿って通水路を形成し、その通水路の後端を水抜き孔を介して外部に開放しているため、例えば本照明器具を屋外で上向きに設置したような場合であっても、フード内に浸入した雨水を通水路および水抜き孔を介して外部にスムーズに排出でき、屋外でも支障なく使用することができる。
【００１７】
発明［３］の照明器具によれば、パッキン部材の前端に照明器具本体の前端面に対応する内向きフランジ部を形成しているため、その内向きフランジ部を照明器具本体の前端面に当接係止するだけで簡単に、パッキン部材の位置合わせを行うことができ、パッキン部材の装着作業を容易に行うことができる。
【００１８】
発明［４］の照明器具によれば、パッキン部材の後端に外装部材の後端面に対応する外向ききフランジ部を形成しているため、その外向きフランジ部をフード６の後端面に当接係止するだけで簡単に、フードの位置合わせを行うことができ、フードの装着作業をより一層簡単に行うことができる。
【００１９】
発明［５］の照明器具によれば、パッキン部材の外周面に圧接用外周溝を形成して、圧接用外周溝内にフードのねじ部材をねじ込んで圧接するようにしているため、ねじ部材を所定の位置に確実にねじ込むことができ、フードをより安定した状態で照明器具本体に取り付けることができる。
【００２０】
発明［６］の照明器具によれば、パッキン部材の内周面に設けた位置決め用内周凸部を、照明器具本体の外周に設けた位置決め用外周溝に嵌合するようにしているため、その嵌合によって、パッキン部材の照明器具本体に対する位置ずれを防止でき、より安定した状態でパッキン部材をスポットライト本体に取り付けることができる。
【図面の簡単な説明】
【００２１】
【図１】図１はこの発明の実施形態である照明器具としてのスポットライトを示す側面図である。
【図２】図２は実施形態のスポットライトにおけるフード取付部周辺を示す側面断面図である。
【図３】図３は図２の分解断面図である。
【図４】図４は実施形態のスポットライトにおけるフード取付部周辺を示す平面断面図である。
【図５】図２のスポットライトにおけるパッキン部材のねじ留め部周辺を拡大して示す断面図である。
【図６】図６は実施形態のスポットライトに適用されたパッキン部材を示す図であって、図（ａ）は正面図、図（ｂ）は側面図、図（ｃ）は背面図である。
【図７】図７は実施形態のパッキン部材を示す斜視図である。
【発明を実施するための形態】
【００２２】
図１はこの発明の実施形態である照明器具としてのスポットライトを示す側面図、図２〜図４は実施形態のスポットライトにおけるフード取付部周辺を示す断面図である。
【００２３】
これらの図に示すように本実施形態の照明器具は、防水性を有する屋外用のスポットライトを構成するものである。なお本実施形態においては、既述した通り照明光を照射する方向（図１の左側方向）を「前方」とし、その反対方向（図１の右側方向）を「後方」として説明する。
【００２４】
図１〜図４に示すように本実施形態のスポットライトは、照明器具本体としての円筒状ないし円柱状のスポットライト本体１と、スポットライト本体１の外周面に固定された支持アーム１１と、スポットライト本体１の前端に円筒状のパッキン部材５を介して前端に外嵌される円筒状のフード６とを備え、例えば屋外の外壁面等の取付場所に支持アーム１１を介して取り付けられて使用されるものである。
【００２５】
スポットライト本体１は、外周壁を構成するアウターケーシング２と、アウターケーシング２内に収容される内筒体３と、アウターケーシング２の前面開口部を閉塞する前面カバー４と、アウターケーシング内に収容された光源ユニット（図示省略）とを基本的な構成要素として備えている。
【００２６】
アウターケーシング２は、セードやシリンダ等とも称されており、円筒形状に形成されている。
【００２７】
アウターケーシング２は、その前端部内周面に周方向に等間隔おきに４つのねじ留め部２１が形成されている。各ねじ留め部２１は、内径方向に突出するように肉厚が厚く形成されており、後述するように前面側からねじ１２をねじ込むことができるように構成されている。
【００２８】
またアウターケーシング２は、その前端部外周面が内側（内径方向）に凹むように形成されることにより、カバー取付用凹段部２２が形成されている。
【００２９】
なお、アウターケーシング２の後部には、ＬＥＤ等を光源として含む上記光源ユニットが収容されており、その光源ユニットの光源から前方に向けて照明光が出射されるように構成されている。
【００３０】
アウターケーシング２の前部に収容される内筒体３は、両端が開放された円筒形状に形成されている。この内筒体３の前端部外周には外側に突出するように外向きフランジ部３１が形成されている。内筒体３の内周面には、グレア低減用のバッフル３２が形成されている。本実施形態においてバッフル３２は、周方向に連続する突条部および凹条部が軸心方向に沿って交互に配置されたものによって構成されている。
【００３１】
この内筒体３がアウターケーシング２内にその前端開口からアウターケーシング２の前側部に収容されて、外向きフランジ部３１がアウターケーシング２の前端面に係止された状態に配置される。
【００３２】
また、アウターケーシング２における前端開口に取り付けられる前面カバー４は、円環状の枠体４１を備えている。枠体４１の枠内には、透明ガラス板等によって構成される透明保護板４３が水密状態に取り付けられている。本実施形態においては、透明保護板４３が透光部として構成されている。
【００３３】
また前面カバー４の枠体４１における外周縁にはその全周において外周壁４２が後方に突出するように形成されている。外周壁４２はその内径がアウターケーシング２のカバー取付用凹段部２２の外径寸法よりも少しだけ大きく形成されており、カバー取付用凹段部２２に適合状態に外嵌できるように構成されている。
【００３４】
この前面カバー４が、内筒体３が設置された上記アウターケーシング２に取り付けられる。すなわち前面カバー４がその外周壁４２がアウターケーシング２のカバー取付用凹段部２２に嵌め込まれるとともに、枠体４１が内筒体３の外向きフランジ部３１に沿うように配置される。この状態でねじ１２が前面カバー４の枠体４１および内筒体３の外向きフランジ部３１を貫通してアウターケーシング２の上記ねじ留め部２１にねじ込まれて固定される。これにより前面カバー４が内筒体３を介してアウターケーシング２に固定されて、スポットライト本体１が組み付けられる。このスポットライト本体１においては、前面カバー４の外周壁４２における後端面が、アウターケーシング２のカバー取付用凹段部２２における後端面から少し前方に離間して配置されており、前面カバー４の外周壁後端面と、アウターケーシング２のカバー取付凹段部後端面との間に隙間が形成され、その隙間によって周方向に沿って連続する位置決め用外周溝１５が形成されている。
【００３５】
図５は図２のスポットライトにおけるパッキン部材５のねじ留め部周辺を拡大して示す図、図６および図７は本実施形態のスポットライトに適用されたパッキン部材５を示す図である。
【００３６】
図２〜図７に示すようにスポットライト本体１の前端部にはパッキン部材５が外嵌されている。本実施形態においてパッキン部材５は、弾力性を有するシリコーンゴムの成形品によって構成されている。このパッキン部材５は、円筒状の周壁部５１を備え、その周壁部５１の前端には、内径方向に突出するように内向きフランジ部５２が一体に形成されるとともに、後端には、外径方向に突出するように外向きフランジ部５３が一体に形成されている。
【００３７】
さらにパッキン部材５における周壁部５１の内周面には、スポットライト本体１の位置決め用外周溝１５に対応して、位置決め用内周凸部５５が周方向に連続して一体に形成されている。
【００３８】
またパッキン部材５における周壁部５１の外周面には、周方向に等間隔おきに配置され、かつ軸心方向に連続して配置される突条部５６が一体に形成されている。この複数の突条部５６の各間は、軸心方向に沿って連続する通水路５７として形成されている。各通水路５７は、前端が前方に向けて開放されている。さらにパッキン部材５の外向きフランジ部５３には、各通水路５７に対応して、前後方向に貫通する水抜き孔５４がそれぞれ形成されており、各水抜き孔５４を介して各通水路５７は後方に向けて開放されている。
【００３９】
またパッキン部材５における周壁部５１の外周面には、その後方寄りの位置に圧接用外周溝５８が周方向に連続して形成されている。
【００４０】
以上の構成のパッキン部材５がスポットライト本体１の前端部に弾性密着状態に取り付けられる。すなわちパッキン部材５をその周壁部５１を引っ張って拡開変形させつつスポットライト本体１の前端部外周に被せて、引張力を解除することによって、周壁部５１を弾性復元力によってスポットライト本体１の前端部外周面に密着させた状態に取り付ける。この際、パッキン部材５の前端の内向きフランジ部５２をスポットライト本体１の前端面外周縁部に係止することによってパッキン部材５の前後方向の位置合わせを図るとともに、パッキン部材５の内周面の位置決め用内周凸部５５をスポットライト本体１の前端部外周面の位置決め用外周溝１５内に弾性密着状態に充填することにより、パッキン部材５の前後方向の位置ずれを防止するようにしている。
【００４１】
図１〜図５に示すように、スポットライト本体１の前端部に外嵌されるフード６は、略円筒状に形成されており、前端部が軸心に対し傾斜する平坦面でカットされたカットタイプのものである。このフード６は、その後端部の内径が、アウターケーシング２に装着されたパッキン部材５の外径寸法に対応して形成されており、フード６の後端部がパッキン部材５に適合状態に外嵌できるように構成されている。
【００４２】
またフード６には、パッキン部材５の圧接用外周溝５８に対応して、周方向に等間隔おきに４つのねじ切り孔６１が形成されている。言うまでもなく各ねじ切り孔６１の内周面にはねじ溝が刻設されている。各ねじ切り孔６１には、ねじ部材６２の軸部がそれぞれ螺着された状態に配置されている。さらに各ねじ部材６２の軸部は、フード６ないしスポットライト本体１の径方向に沿うようにそれぞれ配置されている。そして各ねじ部材６２をねじ込み（締結）方向に回転操作すると、ねじ部材６２がフード６（スポットライト本体１）の軸心に向けて内径方向に進出するとともに、逆方向（緩め方向）に回転操作すると、ねじ部材６２がフード６（スポットライト本体１）の軸心から遠ざかるように外径方向に後退するように構成されている。
【００４３】
このフード６の後端部が、スポットライト本体１の前端部に嵌着された上記パッキン部材５に密着状態に嵌め込まれる。この際、フード６の後端面がパッキン部材５の後端の外向きフランジ部５３に当接係止することによって、フード６のパッキン部材５（スポットライト本体１）に対する軸心方向の位置決めが図られて、フード６のねじ６２（ねじ切り孔６１）が、パッキン部材５の圧接用外周溝５８に対応する位置に配置される。そしてこの状態において、フード６のねじ切り孔６１に螺着された各ねじ部材６２がねじ込み方向に回転操作されて、各ねじ部材６２の軸部先端がパッキン部材５の圧接用外周溝５８の内周面に圧接されるとともに、その圧接部に対応するパッキン部材５の内周部がスポットライト本体１の外周面に押圧して密着固定される。
【００４４】
このようにフード６がパッキン部材５を介してスポットライト本体１に組み付けられる。この組付状態においては、パッキン部材５の外周面側における周方向に隣り合う突条部５６間に設けられた通水路５７が軸心方向に連続するように配置され、その通水路５７の前端側がフード６内において前方に開放されるとともに、後端側がスポットライト本体１の外側においてフード６の後方に開放されている。
【００４５】
なおフード６をスポットライト本体１から取り外す場合には、各ねじ部材６２を緩めて各ねじ部材６２の軸部をパッキン部材５から離間させれば、フード６をスポットライト本体１（パッキン部材５）から取り外すことができる。
【００４６】
この構成のポットライト（照明器具）においては、アウターケーシング１に設けられた支持アーム１１が、設置面例えば、天井面等の下向き水平面、壁面等の垂直面、路面、床面、台面等の上向き水平面、さらに傾斜面、支柱等に適宜取り付けられて使用されるものである。
【００４７】
以上のように構成された本実施形態のスポットライトによれば、スポットライト本体１の前端部に円筒状の弾性パッキン部材５を介してフード６を外嵌するとともに、フード６に螺着されたねじ部材６２をねじ込んでそのねじ部材６２をパッキン部材５に圧接させて弾性密着させることにより、フード６をスポットライト本体１に組み付けるようにしているため、フード６のねじ部材６２をパッキン部材５を介してスポットライト本体１の外周面に弾性密着させることができ、フード６がスポットライト本体１に対しガタツキ等の不具合が生じるのを防止でき、安定した状態に確実に取り付けることができる。
【００４８】
さらに本実施形態のスポットライトにおいては、ねじ部材６２の軸部先端をスポットライト本体１の外周面に圧接するものであるため、ねじ部材６２がスポットライト本体１に対し周方向のどの位置にあろうとも、支障なくフード６を取り付けることができ、ねじ部材６２の位置決め作業等の面倒な作業も必要なく、フード６の取付作業を簡単かつ効率良く行うことができる。
【００４９】
また本実施形態においては、パッキン部材５とフード６との間に軸心方向に連続して延びる通水路５７を形成し、その通水路５７の後端を水抜き孔５４を介して外部に開放しているため、スポットライトを屋外で上向きに設置したような場合に、フード６内に前方から雨水が浸入したとしても、その雨水は通水路５７および水抜き孔５４を介して外部にスムーズに排出される。このためフード６内に雨水が貯留するような不具合がなく、屋外でも支障なく使用することができる。
【００５０】
また本実施形態においては、パッキン部材５の前端に、スポットライト本体１の前端面に対応して内向きフランジ部５２を形成しているため、パッキン部材５をスポットライト本体１に外嵌する際に、内向きフランジ部５２をスポットライト本体１の前端面に当接係止するだけで簡単に位置合わせを行うことができ、パッキン部材５の装着作業を容易に行うことができる。
【００５１】
さらに本実施形態においては、パッキン部材５の内周面に設けた位置決め用内周凸部５５をスポットライト本体１の位置決め用外周溝１５に嵌合するようにしているため、その嵌合によって、パッキン部材５のスポットライト本体１に対する位置ずれを防止でき、より安定した状態でパッキン部材５をスポットライト本体１に取り付けることができる。
【００５２】
さらに本実施形態においては、パッキン部材５の後端に、フード６の後端面に対応して外向きフランジ部５３を形成しているため、フード６をパッキン部材５に外嵌する際に、フード６の後端面をパッキン部材５の外向きフランジ部５３に当接係止するだけで簡単に位置合わせを行うことができ、フード６の装着作業をより一層簡単に行うことができる。
【００５３】
また本実施形態においては、パッキン部材５の外周面に圧接用外周溝５８を形成して、圧接用外周溝５８内にフード６のねじ部材６をねじ込んで密着させるようにしているため、ねじ部材６を所定の位置（圧接用外周溝５８内）に確実にねじ込むことができ、フード６をより安定した状態でスポットライト本体１に取り付けることができる。
【００５４】
その上さらに本実施形態においては、パッキン部材５の内周面に設けられた位置決め用内周凸部５５を、ねじ部材６がねじ込まれる圧接用外周溝５８に対応して形成しているため、ねじ部材６のねじ込みよってパッキン部材５における位置決め用内周凸部５５の周辺部位が内側に押圧されて、位置決め用内周凸部５５がスポットライト本体１の位置決め用外周溝１５内に圧入された状態に確実に維持される。このためパッキン部材５およびフード６の位置ずれ等をより一層確実に防止でき、フード６をより一層安定した状態でスポットライト本体１に取り付けることができる。
【００５５】
なお上記実施形態においては、アウターケーシング２として円筒状のものを採用しているが、本発明においてアウターケーシング２の形状は特に限定されるものではない。例えばアウターケーシング２として、角筒状や楕円筒状のものを採用しても良い。
【００５６】
さらに上記実施形態においては、前端から後端にかけて外径が一定のアウターケーシング２を用いる場合を例に挙げて説明しているが、本発明においてはアウターケーシングの外径を部分的変更するようにしても良い。例えばアウターケーシングにおける前部外径が後部の外径よりも次第に大きくなるようにラッパ状や円錐台状に形成するようにしても良い。
【００５７】
また上記実施形態においては、本発明を、屋外設置型の照明器具（スポットライト）に適用する場合を例に挙げて説明したが、それだけに限られず、本発明は、屋内設置型の照明器具（スポットライト）にも適用することができる。
【００５８】
また上記実施形態においては、外装部材であるフードとして、カットタイプのフードを使用する場合を例に挙げて説明したが、それだけに限られず、本発明においては、フードとして、前端開口部が軸心に対し直交する平面でカットされたストレートタイプのフードや、スプレッドレンズ取付用のフード等も使用することができる。
【００５９】
また上記実施形態においては、外装部材としてフードを用いる場合を例に挙げて説明したが、本発明の外装部材はフードに限られず、スヌート、ハニカム等の外装部材を用いるようにしても良い。
【００６０】
また上記実施形態においては、フード６のねじ切り孔６１やねじ部材６２を４つ設ける場合を例に挙げて説明したが、ねじ切り孔やねじ部材の数は特に限定されるものではなく、本発明においてねじ切り孔やねじ部材は複数設けられていれば良い。
【産業上の利用可能性】
【００６１】
この発明の照明器具は、前端部にフードが設置されるスポットライト等として好適に用いることができる。
【符号の説明】
【００６２】
１：スポットライト本体（照明器具本体）
１５：位置決め用外周溝
４３：透明保護板（透光部）
５：パッキン部材
５２：内向きフランジ部
５３：外向きフランジ部
５４：水抜き孔
５５：位置決め用内周凸部
５６：突条部
５７：通水路
５８：圧接用外周溝
６：フード（外装部材）
６１：ねじ切り孔
６２：ねじ部材
【図１】
2020173927.tif 000003
【図２】
2020173927.tif 000004
【図３】
2020173927.tif 000005
【図４】
2020173927.tif 000006
【図５】
2020173927.tif 000007
【図６】
2020173927.tif 000008
【図７】
2020173927.tif 000009